(57)【要約】【解決手段】トンネル１内に配設されるコンクリート打設型枠をトンネル１内で支持する型枠支持装置３によりトンネル１の内周でトンネル１の長手方向Ｘに沿って成形した覆工コンクリート６に対し水蒸気Ｓを吹き付けて覆工コンクリート６を養生する養生装置７を型枠支持装置３に対し連結部８で着脱可能に連結し、型枠支持装置３と養生装置７とを互いに連動させてトンネル１内を移動させることができるようにした。覆工コンクリート６に対し水蒸気Ｓを吹き付ける複数の蒸気噴出ノズル１２を有する蒸気供給管９を備えている。蒸気供給管９には各蒸気噴出ノズル１２から噴出する水蒸気Ｓの流量を設定する流量制御弁を備えている。【効果】覆工コンクリート６に対する水蒸気Ｓの吹付作業を効率良く行うことができるとともに、覆工コンクリート６に向けて吹き付けられる水蒸気Ｓの量を各蒸気噴出ノズル１２ごとにほぼ一定にすることが可能となる。【選択図】図１
2006161401.tif 000002
【特許請求の範囲】
【請求項１】
トンネル内に配設されるコンクリート打設型枠をトンネル内で支持する型枠支持装置によりトンネルの内周でトンネルの長手方向に沿って成形した覆工コンクリートに対し蒸気を吹き付けて覆工コンクリートを養生する養生装置をこの型枠支持装置に連結し、この型枠支持装置と養生装置とを互いに連動させてトンネル内を移動させることができるようにしたことを特徴とするトンネル内の覆工コンクリート打設装置。
【請求項２】
前記型枠支持装置と養生装置との間には互いに着脱可能な連結部を設けていることを特徴とする請求項１に記載のトンネル内の覆工コンクリート打設装置。
【請求項３】
トンネルの内周でトンネルの長手方向に沿って成形した覆工コンクリートに対し蒸気を吹き付ける複数の蒸気噴出口を有する蒸気供給管を備え、この各蒸気噴出口から噴出する蒸気の流量を設定する流量制御手段を備えたことを特徴とする請求項１または請求項２に記載のトンネル内の覆工コンクリート養生装置。
【請求項４】
前記流量制御手段は、各蒸気噴出口から噴出する蒸気の流量を設定された値に維持する固定形または可変形の流量調整弁であることを特徴とする請求項３に記載のトンネル内の覆工コンクリート養生装置。
【請求項５】
前記流量制御手段は、絞り作用により流量を規制する固定形または可変形の絞り弁であることを特徴とする請求項３に記載のトンネル内の覆工コンクリート養生装置。
【請求項６】
前記蒸気供給管はトンネルの周方向に沿って延設され、前記各蒸気噴出口はこの蒸気供給管の延設方向に沿うように互いに間隔をあけて並設されていることを特徴とする請求項３から請求項５のうちいずれかの請求項に記載のトンネル内の覆工コンクリート養生装置。
【発明の詳細な説明】
【技術分野】
【０００１】
本発明は、トンネル内で覆工コンクリートを打設する装置と、トンネル内で覆工コンクリートを養生する装置とに関するものである。
【背景技術】
【０００２】
従来、トンネル内に配設されるコンクリート打設型枠をトンネル内で支持する型枠支持装置と、その型枠支持装置によりトンネルの内周でトンネルの長手方向に沿って成形した覆工コンクリートに対し蒸気を吹き付けて覆工コンクリートを養生する養生装置とは、常に互いに分離された状態でそれぞれの装置による作業が行われていた。また、この養生装置は、覆工コンクリートに対し蒸気を吹き付ける複数の蒸気噴出口を有する蒸気供給管を備えている。
【発明の開示】
【発明が解決しようとする課題】
【０００３】
しかし、従来では、型枠支持装置によりコンクリート打設室に覆工コンクリートが成形された後、この型枠支持装置のみをトンネル内で移動させて覆工コンクリートを順次開放し、開放された覆工コンクリートに対し養生を行うために養生装置のみをトンネル内で移動させていたので、型枠支持装置と養生装置とを互いに別々に移動させる必要があり、覆工コンクリートに対する蒸気の吹付作業の効率が悪くなっていた。また、蒸気供給管の蒸気供給口部に対する各蒸気噴出口の距離や各蒸気噴出口の高さ（ポンプの揚程）などの条件が各蒸気噴出口ごとに異なるため、覆工コンクリートに向けて吹き付けられる蒸気の量を各蒸気噴出口ごとにほぼ一定にして覆工コンクリートに対する養生効果を向上させることが難しかった。
【０００４】
この発明は、覆工コンクリートに対する蒸気の吹付作業を効率良く行うことを目的としている。また、覆工コンクリートに向けて吹き付けられる蒸気の量を各蒸気噴出口ごとにほぼ一定にし易くすることを目的としている。
【課題を解決するための手段】
【０００５】
後記実施形態の図面（図１〜７）の符号を援用して本発明を説明する。
請求項１の発明にかかるトンネル（１）内の覆工コンクリート打設装置（２）においては、トンネル（１）内に配設されるコンクリート打設型枠（４）をトンネル（１）内で支持する型枠支持装置（３）によりトンネル（１）の内周でトンネル（１）の長手方向（Ｘ）に沿って成形した覆工コンクリート（６）に対し蒸気（Ｓ）を吹き付けて覆工コンクリート（６）を養生する養生装置（７）をこの型枠支持装置（３）に連結し、この型枠支持装置（３）と養生装置（７）とを互いに連動させてトンネル（１）内を移動させることができるようにした。請求項１の発明では、覆工コンクリート（６）の成形後に型枠支持装置（３）を移動させながら同時に蒸気（Ｓ）を覆工コンクリート（６）に向けて効率良く吹き付けることができる。
【０００６】
請求項１の発明を前提とする請求項２の発明において、前記型枠支持装置（３）と養生装置（７）との間には互いに着脱可能な連結部（８）を設けている。請求項２の発明では、養生装置（７）を単独で往復動させて蒸気（Ｓ）を覆工コンクリート（６）に向けて繰り返し吹き付けることができる。
【０００７】
請求項１または請求項２の発明を前提とする請求項３の発明にかかるトンネル（１）内の覆工コンクリート養生装置（７）においては、トンネル（１）の内周でトンネル（１）の長手方向（Ｘ）に沿って成形した覆工コンクリート（６）に対し蒸気（Ｓ）を吹き付ける複数の蒸気噴出口（１２）を有する蒸気供給管（９）を備え、この各蒸気噴出口（１２）から噴出する蒸気（Ｓ）の流量を設定する流量制御手段（１３）を備えている。この流量制御手段は、例えば流量制御弁（１３）であって蒸気供給管（９）の幹管（１０）から分岐した各枝管（１１）で蒸気噴出口（１２）に至る途中に設けられ、通常、請求項４の発明にかかる流量調整弁（１３ａ）や請求項５の発明にかかる絞り弁（１３ｂ）であるが、各蒸気噴出口（１２）の有効断面積を変更したり各枝管（１１）の通路有効断面積を変更したりしてもよい。請求項３の発明では、流量制御手段（１３）により、各蒸気噴出口（１２）から噴出する蒸気（Ｓ）の流量を設定することにより、覆工コンクリート（６）に向けて吹き付けられる蒸気（Ｓ）の量を各蒸気噴出口（１２）ごとにほぼ一定にすることが可能となり、覆工コンクリート（６）に対する養生効果を向上させることができる。
【０００８】
請求項３の発明を前提とする請求項４の発明において、前記流量制御手段（１３）は、各蒸気噴出口（１２）から噴出する蒸気（Ｓ）の流量を設定された値に維持する固定形または可変形の流量調整弁（１３ａ）である。
【０００９】
請求項３の発明を前提とする請求項５の発明において、前記流量制御手段（１３）は、絞り作用により流量を規制する固定形または可変形の絞り弁（１３ｂ）である。
請求項４〜５の発明では、既存の流量調整弁（１３ａ）や絞り弁（１３ｂ）を採用して簡単な流量制御手段（１３）にすることができる。
【００１０】
請求項３から請求項５のうちいずれかの請求項の発明を前提とする請求項６の発明において、前記蒸気供給管（９）はトンネル（１）の周方向（Ｙ）に沿って延設され、前記各蒸気噴出口（１２）はこの蒸気供給管（９）の延設方向に沿うように互いに間隔をあけて並設されている。請求項６の発明では、蒸気（Ｓ）を蒸気噴出口（１２）から覆工コンクリート（６）に向けて万遍なく吹き付けることが可能となり、覆工コンクリート（６）に対する養生効果を向上させることができる。
【発明の効果】
【００１１】
本発明は、覆工コンクリート（６）に対する蒸気（Ｓ）の吹付作業を効率良く行うことができる。また、覆工コンクリート（６）に向けて吹き付けられる蒸気（Ｓ）の量を各蒸気噴出口（１２）ごとにほぼ一定にし易くなる。
【発明を実施するための最良の形態】
【００１２】
以下、本発明の一実施形態にかかるトンネル内の覆工コンクリート養生装置を備えた覆工コンクリート打設装置について図１〜７を参照して説明する。
図１，２で概略的に示すように、トンネル１内には覆工コンクリート打設装置２の一部として台車３ａ付き型枠支持装置３が設置され、トンネル１の内周面１ａと型枠４との間にコンクリート打設室５が順次設けられる。これらのコンクリート打設室５に覆工コンクリート６がトンネル１の内周でトンネル１の長手方向Ｘに沿って成形されて互いに並られる。
【００１３】
前記覆工コンクリート打設装置２においては、図１，３で概略的に示すように、台車７ａ付き覆工コンクリート養生装置７が設置され、前記型枠支持装置３に対し連結部８で着脱可能に連結されている。この連結部８は図示しないボルトやナット等のねじ締結具である。
【００１４】
前記覆工コンクリート養生装置７においては、複数の蒸気供給管９がトンネル１の周方向Ｙに沿ってアーチ状に延設された状態でトンネル１の長手方向Ｘに沿って間隔をあけて並べられている。この各蒸気供給管９においては、図４（ａ）で概略的に示すように、アーチ状の幹管１０から分岐された複数の枝管１１でそれぞれ蒸気噴出口としての蒸気噴出ノズル１２が幹管１０の延設方向に沿うように幹管１０の一端側から他端側にわたり互いに略等間隔をあけて並設されている。この各枝管１１には、流量制御手段としての流量制御弁１３が幹管１０から蒸気噴出ノズル１２に至る途中に設けられているとともに、この流量制御弁１３から蒸気噴出ノズル１２に至る途中に流量計１４が設けられている。この流量制御弁１３としては、従来周知のものが採用され、例えば、図４（ｂ）で概略的に示す可変形流量調整弁１３ａや図４（ｃ）で概略的に示す可変形絞り弁１３ｂなどのほか、図示しないが、固定形流量調整弁や固定形絞り弁を採用することができる。
【００１５】
図５に示すように、前記各蒸気供給管９の幹管１０の両端部１０ａ，１０ｂのうち一端部１０ａ（供給口部）に対し水蒸気発生装置１５がポンプ１６を介して接続されている。また、図６に示すように幹管１０の両端部１０ａ，１０ｂ（供給口部）に対しそれぞれ水蒸気発生装置１５をポンプ１６を介して接続したり、図７に示すように幹管１０の両端部１０ａ，１０ｂ（供給口部）とこの幹管１０で両端部１０ａ，１０ｂ間の中間部１０ｃ（供給口部）とに対しそれぞれ水蒸気発生装置１５をポンプ１６を介して接続したりすることもできる。
【００１６】
前述したように覆工コンクリート養生装置７が型枠支持装置３に対し連結部８で着脱可能に連結されているため、この型枠支持装置３によりコンクリート打設室５に覆工コンクリート６が成形された後、この型枠支持装置３をトンネル１内で移動させる際、養生装置７もこの型枠支持装置３と連動して移動させることができる。この型枠支持装置３の移動の際、またはこの型枠支持装置３を移動させた後、ポンプ１６により水蒸気発生装置１５から幹管１０に供給された水蒸気Ｓは、各枝管１１で流量制御弁１３を通って蒸気噴出ノズル１２から覆工コンクリート６に向けて万遍なく吹き付けられる。また、必要に応じて、型枠支持装置３と養生装置７とをそれぞれ単独で移動させることもできるため、養生装置７を往復動させて水蒸気Ｓを覆工コンクリート６に向けて繰り返し吹き付けることが可能となる。
【００１７】
前記各流量制御弁１３（各蒸気噴出ノズル１２から噴出する水蒸気Ｓの流量を設定された値に維持する可変形流量調整弁１３ａ及び固定形流量調整弁や、絞り作用により流量を規制する可変形絞り弁１３ｂ及び固定形絞り弁など）については、幹管１０の両端部１０ａ，１０ｂや中間部１０ｃ（供給口部）に対する各蒸気噴出ノズル１２の距離や、各蒸気噴出ノズル１２の高さ（ポンプ１５の揚程）などの条件に応じて、各蒸気噴出ノズル１２から噴出する水蒸気Ｓの流量を流量計１４を遠隔管理して設定することにより、覆工コンクリート６に向けて吹き付けられる水蒸気Ｓの量を各蒸気噴出ノズル１２ごとにほぼ一定にする。
【図面の簡単な説明】
【００１８】
【図１】本実施形態にかかる覆工コンクリート打設型枠支持装置及び覆工コンクリート養生装置を備えた覆工コンクリート打設装置の一部を側面側から見て概略的に示すトンネルの断面図である。
【図２】本実施形態にかかる覆工コンクリート打設型枠支持装置の一部を正面側から見て概略的に示すトンネルの断面図である。
【図３】本実施形態にかかる覆工コンクリート養生装置の一部を正面側から見て概略的に示すトンネルの断面図である。
【図４】（ａ）は上記覆工コンクリート養生装置において蒸気供給管の蒸気噴出部分を概略的に示す図３の部分拡大正面図であり、（ｂ）は上記蒸気噴出部分にある流量調整弁の一例を概略的に示す断面図であり、（ｃ）は上記蒸気噴出部分にある絞り弁の一例を概略的に示す断面図である。
【図５】図３に示す覆工コンクリート養生装置の蒸気供給回路図である。
【図６】上記蒸気供給回路の別例図である。
【図７】上記蒸気供給回路の別例図である。
【符号の説明】
【００１９】
１…トンネル、２…覆工コンクリート打設装置、３…型枠支持装置、４…コンクリート打設型枠、６…覆工コンクリート、７…覆工コンクリート養生装置、８…連結部、９…蒸気供給管、１２…蒸気噴出ノズル（蒸気噴出口）、１３…流量制御弁（流量制御手段）、１３ａ…流量調整弁、１３ｂ…絞り弁、Ｓ…水蒸気、Ｘ…トンネルの長手方向、Ｙ…トンネルの周方向。
【図１】
2006161401.tif 000003
【図２】
2006161401.tif 000004
【図３】
2006161401.tif 000005
【図４】
2006161401.tif 000006
【図５】
2006161401.tif 000007
【図６】
2006161401.tif 000008
【図７】
2006161401.tif 000009
【手続補正書】
【提出日】平成16年12月17日(2004.12.17)
【手続補正１】
【補正対象書類名】特許請求の範囲
【補正対象項目名】請求項３
【補正方法】変更
【補正の内容】
【請求項３】
前記養生装置は、トンネルの内周でトンネルの長手方向に沿って成形した覆工コンクリートに対し蒸気を吹き付ける複数の蒸気噴出口を有する蒸気供給管を備え、この各蒸気噴出口から噴出する蒸気の流量を設定する流量制御手段を備えたことを特徴とする請求項１または請求項２に記載のトンネル内の覆工コンクリート打設装置。
【手続補正２】
【補正対象書類名】特許請求の範囲
【補正対象項目名】請求項４
【補正方法】変更
【補正の内容】
【請求項４】
前記流量制御手段は、各蒸気噴出口から噴出する蒸気の流量を設定された値に維持する固定形または可変形の流量調整弁であることを特徴とする請求項３に記載のトンネル内の覆工コンクリート打設装置。
【手続補正３】
【補正対象書類名】特許請求の範囲
【補正対象項目名】請求項５
【補正方法】変更
【補正の内容】
【請求項５】
前記流量制御手段は、絞り作用により流量を規制する固定形または可変形の絞り弁であることを特徴とする請求項３に記載のトンネル内の覆工コンクリート打設装置。
【手続補正４】
【補正対象書類名】特許請求の範囲
【補正対象項目名】請求項６
【補正方法】変更
【補正の内容】
【請求項６】
前記蒸気供給管はトンネルの周方向に沿って延設され、前記各蒸気噴出口はこの蒸気供給管の延設方向に沿うように互いに間隔をあけて並設されていることを特徴とする請求項３から請求項５のうちいずれかの請求項に記載のトンネル内の覆工コンクリート打設装置。
【手続補正６】
【補正対象書類名】明細書
【補正対象項目名】０００１
【補正方法】変更
【補正の内容】
【０００１】
本発明は、トンネル内で覆工コンクリートを打設する装置に関するものである。
【手続補正７】
【補正対象書類名】明細書
【補正対象項目名】０００７
【補正方法】変更
【補正の内容】
【０００７】
請求項１または請求項２の発明を前提とする請求項３の発明において、養生装置（７）は、トンネル（１）の内周でトンネル（１）の長手方向（Ｘ）に沿って成形した覆工コンクリート（６）に対し蒸気（Ｓ）を吹き付ける複数の蒸気噴出口（１２）を有する蒸気供給管（９）を備え、この各蒸気噴出口（１２）から噴出する蒸気（Ｓ）の流量を設定する流量制御手段（１３）を備えている。この流量制御手段は、例えば流量制御弁（１３）であって蒸気供給管（９）の幹管（１０）から分岐した各枝管（１１）で蒸気噴出口（１２）に至る途中に設けられ、通常、請求項４の発明にかかる流量調整弁（１３ａ）や請求項５の発明にかかる絞り弁（１３ｂ）であるが、各蒸気噴出口（１２）の有効断面積を変更したり各枝管（１１）の通路有効断面積を変更したりしてもよい。請求項３の発明では、流量制御手段（１３）により、各蒸気噴出口（１２）から噴出する蒸気（Ｓ）の流量を設定することにより、覆工コンクリート（６）に向けて吹き付けられる蒸気（Ｓ）の量を各蒸気噴出口（１２）ごとにほぼ一定にすることが可能となり、覆工コンクリート（６）に対する養生効果を向上させることができる。